(57)【特許請求の範囲】
【請求項１】
識別情報および電話番号を記録したＩＣカードを装着可能な移動通信端末において、
識別情報を記憶するための記憶手段と、
カード登録モードを設定するモード設定手段と、
このモード設定手段によるカード登録モードの設定に伴い、上記ＩＣカードに記録された識別情報を読み出して上記記憶手段に登録する登録手段と、
この登録手段による識別情報の登録時に、上記記憶手段に識別情報が既に登録されているか否かを判断し、登録済みであれば上記登録手段による識別情報の登録動作を禁止する登録制御手段と、
通信時に上記ＩＣカードに記録された識別情報と上記記憶手段に記憶された識別情報とを比較し、両者が一致する場合に上記電話番号に基づく発着信を許可する動作制御手段と
を具備したことを特徴とする移動通信端末。
【請求項２】
識別情報および電話番号を記録したＩＣカードを装着可能な移動通信端末において、
少なくとも識別情報とその識別情報の登録回数を記憶する記憶手段と、
パスワードに基づいてカード登録が許可された者を認証する個人認証手段と、
この個人認証手段によってカード登録が許可された者が認証された場合にのみカード登録モードを設定するモード設定手段と、
このモード設定手段によるカード登録モードの設定に伴い、上記ＩＣカードに記録された識別情報を読み出して上記記憶手段に登録すると共に、その識別情報の登録回数を更新する登録手段と、
この登録手段による識別情報の登録時に、上記登録回数が予め設定された回数に達しているか否かを判断し、上記設定回数に達していれば上記登録手段による識別情報の登録動作を禁止する登録制御手段と、
通信時に上記ＩＣカードに記録された識別情報と上記記憶手段に記憶された識別情報とを比較し、両者が一致する場合に上記電話番号に基づく発着信を許可する動作制御手段と
を具備したことを特徴とする移動通信端末。
【発明の詳細な説明】
【０００１】
【発明の属する技術分野】
本発明は、移動無線通信システムにおいて使用される携帯電話端末などの移動通信端末に係り、特にＳＩＭ（Subscriber Identity Module：加入者識別モジュール）カードなど、電話番号が登録されたＩＣカードを装着することで発着信動作を行う移動通信端末に関する。
【０００２】
【従来の技術】
ＰＨＳ（Personal Handy Phone）やＰＤＣ（Personal Digital Cellular）などの携帯電話端末は、ユーザが携帯しながら、どこでも自由に利用できるといった利便性を有する反面、紛失や盗難される機会も多く、所有者以外の者に悪用されてしまう危険性が非常に高い。通常、この種の端末には、その端末に対する操作をロックする機能が備えられており、このロック機能によって操作ロックされた状態ではパスワードの入力なしには発着信を含む端末操作を行うことができないようになっている。しかし、ユーザが常に操作ロックしているとは限らず、操作ロックしていない状態で紛失あるいは盗難により第三者に渡ってしまうことがある。
【０００３】
また、端末を紛失した場合に、その旨をキャリアに通知することで、当該端末による無線通信の利用を禁止する方法がある。しかし、この方法では、他人がユーザの所有する端末を用いて発着信することは防ぐことができても、それ以外の端末の操作を禁止することができないため、例えばアドレス帳情報やメール情報などのユーザの個人的な情報が他人に盗み見られてしまう問題がある。
【０００４】
従来、このような問題を解決するために、端末を紛失した場合において、その端末に対してユーザが外部（別の端末装置）から操作ロック用の制御信号を送ることで、当該端末の操作を遠隔的にロックしたり、さらに、当該端末に記憶されている情報を消去するといった方法が提案されている。
【０００５】
【発明が解決しようとする課題】
上述したような端末操作を遠隔的にロックする方法は、電話番号が端末本体に設定されている一般の携帯電話機には有効であるが、以下のような「ＳＩＭカード」と呼ばれるＩＣカードを用いる特殊な携帯電話機には適用することができない。
【０００６】
ＳＩＭカードとは、電話の契約情報を端末から分離した認証チップであり、加入者の電話番号に関する情報などが書き込まれる。このＳＩＭカードを端末に装着すると発着信可能な状態となり、相手と通話を行うことができる。欧州方式（ＧＳＭ：Global system for mobile communication)の携帯電話機で既に運用されており、日本では次世代移動通信システム「ＩＭＴ−２０００」規格の端末で採用される予定である。なお、次世代移動通信システム規格の端末に用いられるＳＩＭカードのことを「ＵＳＩＭ(Universal Subscriber Identity Module)カード」と呼んでいる。
【０００７】
このようなＩＣカード（ＳＩＭカード／ＵＳＩＭカード）を用いる携帯電話機では、端末本体に電話番号が登録されているのではなく、ＩＣカードの方に電話番号が登録されているので、その端末を紛失するなどして他人に渡ってしまうと、ＩＣカードさえを入れ替えてしまえば、以後、あたかも自分の端末のように使用することができてしまう。この場合、ＩＣカードの入れ替えにより電話番号が変更されるので、本来の所有者であるユーザが上述した操作ロック用の制御信号を送っても当該端末を操作ロックすることはできず、端末内の情報なども見られてしまうことになる。
【０００８】
本発明は上記の課題を解決するためになされたもので、ＩＣカードを用いて発着信動作を行う移動通信端末において、紛失した場合などに他人による不正使用を防ぐことのできる移動通信端末を提供することを目的とする。
【０００９】
【課題を解決するための手段】
本発明の移動通信端末は、識別情報および電話番号を記録したＩＣカードを装着可能な移動通信端末において、識別情報を記憶するための記憶手段と、カード登録モードを設定するモード設定手段と、このモード設定手段によるカード登録モードの設定に伴い、上記ＩＣカードに記録された識別情報を読み出して上記記憶手段に登録する登録手段と、この登録手段による識別情報の登録時に、上記記憶手段に識別情報が既に登録されているか否かを判断し、登録済みであれば上記登録手段による識別情報の登録動作を禁止する登録制御手段と、通信時に上記ＩＣカードに記録された識別情報と上記記憶手段に記憶された識別情報とを比較し、両者が一致する場合に上記電話番号に基づく発着信を許可する動作制御手段とを具備して構成される。
【００１０】
このような構成によれば、所有者の持つＩＣカードの識別情報の登録回数を１回に限定し、それ以後の登録動作を禁止することで、他人が勝手に別のＩＣカードを用いて識別情報を書き換えて端末を不正使用することを防止することができる。
また、通信時には、ＩＣカードが装着された際に、そのＩＣカードから読み出される識別情報と端末のメモリに登録された識別情報との比較により、当該ＩＣカードの正当性が判断される。その結果、当該ＩＣカードの正当性が認められた場合には（つまり、本来の所有者のものであると判断された場合には）、例えば発着信動作を含む端末動作が許可されて通常通り使用することができる。一方、当該ＩＣカードの正当性が認めらなかった場合には（つまり、本来の所有者以外のものであると判断された場合には）、発着信動作を含む端末動作が禁止されることになる。したがって、本端末を紛失するなどして他人に渡ってしまった場合に、他人が別のＩＣカードを用いて本端末を不正に使用することを防ぐことができる。
【００１１】
また、本発明の移動通信端末は、識別情報および電話番号を記録したＩＣカードを装着可能な移動通信端末において、少なくとも識別情報とその識別情報の登録回数を記憶する記憶手段と、パスワードに基づいてカード登録が許可された者を認証する個人認証手段と、この個人認証手段によってカード登録が許可された者が認証された場合にのみカード登録モードを設定するモード設定手段と、このモード設定手段によるカード登録モードの設定に伴い、上記ＩＣカードに記録された識別情報を読み出して上記記憶手段に登録すると共に、その識別情報の登録回数を更新する登録手段と、この登録手段による識別情報の登録時に、上記登録回数が予め設定された回数に達しているか否かを判断し、上記設定回数に達していれば上記登録手段による識別情報の登録動作を禁止する登録制御手段と、通信時に上記ＩＣカードに記録された識別情報と上記記憶手段に記憶された識別情報とを比較し、両者が一致する場合に上記電話番号に基づく発着信を許可する動作制御手段とを具備して構成される。
【００１２】
このような構成によれば、所有者の持つＩＣカードの識別情報を複数回登録可能とすることで、例えば会社内で複数の社員が個別のＩＣカードを持って１台の端末を共有することが可能となる。この場合、登録可能な回数を所定回数までとすると共に、許可されていない者が勝手に識別情報を書き換えてしまわないようにパスワードによる個人認証を設けて、許可された者だけがカード登録可能とすることで、他人が勝手に別のＩＣカードを用いて識別情報を書き換えて端末を不正使用することを防止することができる。
また、通信時には、ＩＣカードが装着された際に、そのＩＣカードから読み出される識別情報と端末のメモリに登録された識別情報との比較により、当該ＩＣカードの正当性が判断される。その結果、両者の情報が一致して当該ＩＣカードの正当性が認められた場合には（つまり、本来の所有者のものであると判断された場合には）、例えば発着信動作を含む端末動作が許可されて通常通り使用することができる。一方、当該ＩＣカードの正当性が認めらなかった場合には（つまり、本来の所有者以外のものであると判断された場合には）、発着信動作を含む端末動作が禁止されることになる。したがって、本端末を紛失するなどして他人に渡ってしまった場合に、他人が別のＩＣカードを用いて本端末を不正に使用することを防ぐことができる。
【００１８】
【発明の実施の形態】
以下、図面を参照して本発明の実施形態を説明する。
【００１９】
本発明の移動通信端末は、電話番号が登録された特定のＩＣカードを装着することで発着信動作を行うものである。上記ＩＣカードとは、ＧＳＭ規格のＳＩＭカードまたは「ＩＭＴ−２０００」規格のＵＳＩＭカードである。ＳＩＭカードとＵＳＩＭカードは基本的には同じ加入者識別モジュールとして用いられるカードであるが、ＵＳＩＭカードでは１枚のカードに複数の電話番号に対応する情報を登録可能であるのに対し、ＳＩＭカードでは１枚のカードに１つの電話番号に対応する情報しか登録できないことなどが異なる。本実施形態では、このうちのＵＳＩＭカードの方を用いるものとする。
【００２０】
ここで、本発明の実施形態を説明するに先立ち、図６および図７を参照してＵＳＩＭカードの構成について簡単に説明しておく。
【００２１】
図６にＵＳＩＭカードのファイル構成を示す。ＵＳＩＭカードでは、ＭＦ(Master File)、ＤＦ(Dedicated File)、ＡＤＦ(Application Dedicated File)、ＥＦ(Elementary File)といった各種ファイルが階層的に設けられており、種々の情報はＥＦに含まれている。このＥＦには、ＥＦ＿ＩＭＳＩ(International Mobile Subscriber Identity)及びＥＦ＿ＩＣＣＩＤ(ICC IDentification)と呼ばれるカード毎に固有の情報が予め設定されている。ＥＦ＿ＩＭＳＩは加入者に与えられた電話番号に対応する情報（実際には図７に示すように電話番号に対応したユニークな番号）を示しており、ＥＦ＿ＩＣＣＩＤはカードの識別番号を示している。図６の例では、２つの電話番号に対応する情報（＝ＥＦ＿ＩＭＳＩ）が登録されたＵＳＩＭカードのファイル構成を示しており、図中の「ＡＤＦ１」と「ＡＤＦ２」の２つのＡＤＦの配下に異なる２つのＥＦ＿ＩＭＳＩが存在することを示している。
【００２２】
図７にＵＳＩＭカードのＥＦ＿ＩＭＳＩのフォーマットを示す。ＥＦ＿ＩＭＳＩは、ＵＳＩＭカードの契約キャリア番号（ＭＮＣ）と、そのキャリアが属する国番号（ＭＣＣ）と、シリアル番号（ＭＳＩＮ）とからなるユニークな番号からなり、これらの番号全体で、ネットワーク側で、対応する電話番号が特定される。また、ＥＦ＿ＩＣＣＩＤは、全１０バイトでＵＳＩＭカードの識別番号を示す。
【００２３】
以下に、このようなＵＳＩＭカードを用いて発着信動作を行う移動通信端末について説明する。
【００２４】
図１は本発明の一実施形態に係る移動通信端末として携帯電話端末を例にした場合での外観構成を示す平面図、図２はその側面図である。この携帯電話端末は、例えばＷ−ＣＤＭＡ方式を採用した移動通信システムにおいて使用される携帯用の電話機であって、音声通信機能の他に、テレビジョン電話通信等のマルチメディア通信機能、メール送受信機能、Ｗｅｂ閲覧機能、電話帳機能、電子手帳機能を有する。
【００２５】
図１に示すように、この携帯電話端末の筐体前面パネルには、送話器としてのマイクロホン３１、受話器としてのスピーカ３２、液晶表示器（ＬＣＤ）３４、キー入力部３５が配設されている。上記キー入力部３５は、ダイヤルキー３５１と、機能キー群３５２とから構成される。機能キー群３５２には、発着信用の機能キーやクリアキー、カーソールキー、カメラ３３の撮影キー等が含まれる。
【００２６】
また、筐体上部には、伸縮可能なアンテナ１１及びカメラ３３が取着されている。このカメラ３３は、ＣＭＯＳ又はＣＣＤ等の固体撮像素子を採用したもので、静止画像又は動画像を撮像可能である。筐体背面部には、電源部用の装着部が設けられており、図２に示すように、この装着部にはバッテリパックを構成する電源部４が着脱自在に装着される。さらに、筐体側面部には、カードスロット５が設けられており、このカードスロット５に加入者の電話番号が登録された特定のＩＣカードであるＵＳＩＭカード５１が着脱自在に装着される構成になっている。
【００２７】
また、携帯電話端末の回路は次のように構成される。
【００２８】
図３はその構成を示す回路ブロック図である。この携帯電話端末は、無線部１と、ベースバンド部２と、入出力部３と、電源部４とから構成される。
【００２９】
同図において、図示しない基地局から無線チャネルを介して到来した無線周波信号は、アンテナ１１で受信されたのちアンテナ共用器（ＤＵＰ）１２を介して受信回路（ＲＸ）１３に入力される。受信回路１３は、高周波増幅器、周波数変換器及び復調器を備える。そして、上記無線信号を低雑音増幅器で低雑音増幅したのち、周波数変換器において周波数シンセサイザ（ＳＹＮ）１４から発生された受信局部発振信号とミキシングして受信中間周波信号又は受信ベースバンド信号に周波数変換し、その出力信号を復調器でディジタル復調する。復調方式としては、例えばＱＰＳＫ方式に対応した直交復調方式と、拡散符号を使用したスペクトラム逆拡散方式が用いられる。なお、上記周波数シンセサイザ１４から発生される受信局部発振信号周波数は、ベースバンド部２に設けられた主制御部２１から指示される。
【００３０】
上記復調器から出力された復調パケットはベースバンド部２に入力される。ベースバンド部２は、主制御部２１と、多重分離部２２と、音声符号復号部（以後音声信号処理モジュールと呼称する）２３と、マルチメディア処理部２４と、ＬＣＤ制御部２５と、メモリ部２６と、カードインタフェース（カードＩ／Ｆ）部２７を備えている。
【００３１】
上記復調パケットは、主制御部２１から多重分離部２２に供給される。多重分離部２２は、例えばＩＴＵＴ  Ｈ．２２３により規定されるＭＵＸ−ＰＤＵと呼ばれるパケットの多重分離処理を行う。すなわち、受信時には、復調パケットに含まれる音声データと画像データと制御データとを、ヘッダの内容に従い分離する。このうち音声データは音声信号処理モジュール２３に供給され、例えばＡＭＲ（Adaptive Multi Rate）等の音声符号復号方式により復号される。そして、この復号処理により伸張されたディジタル音声信号は、図示しないディジタル／アナログ変換器（以後Ｄ／Ａ変換器と称する）によりアナログ音声信号に変換されたのち、入出力部３のスピーカ３２から拡声出力される。
【００３２】
これに対し画像データは、マルチメディア処理部２４に供給されてここで画像復号処理される。画像符号化復号方式には例えばＭＰＥＧ４（Moving Picture Experts Group 4）が用いられる。そして、この復号処理により伸張された画像信号は、ＬＣＤ制御部２５を介して入出力部３のＬＣＤ３４に供給され表示される。
【００３３】
なお、ＬＣＤ３４には、主制御部２１から出力される静止画像データ、電話帳データや送受信履歴データ、自端末の動作状態を表す種々情報等も表示される。自端末の動作状態を表す情報には、例えば受信品質を表す情報やバッテリの残量を表す情報等が含まれる。
【００３４】
一方、入出力部３のマイクロホン３１から出力されたユーザの送話音声信号は、ベースバンド部２の音声信号処理モジュール２３に入力され、ここでＡＭＲ方式により音声符号化されたのち多重分離部２２に入力される。また、カメラ（ＣＡＭ）３３から出力された画像信号は、ベースバンド部２のマルチメディア処理部２４に入力され、ここでＭＰＥＧ４に従い画像符号化処理が施されて上記多重分離部２２に入力される。多重分離部２２は、上記符号化された音声データ及び画像データと、図示しないデータ通信部により生成された制御データとを、ＩＴＵＴ  Ｈ．２２３に従い多重化して送信パケット（MUX-PDU）を作成する。この多重分離部２２で作成された送信パケットは、主制御部２１から無線部１の送信回路（ＴＸ）１５に入力される。
【００３５】
送信回路１５は、変調器、周波数変換器及び送信電力増幅器を備える。上記送信データは、変調器でディジタル変調されたのち、周波数変換器により周波数シンセサイザ１４から発生された送信局部発振信号とミキシングされて無線周波信号に周波数変換される。変調方式としては、ＱＰＳＫ方式及び拡散符号使用するスペクトラム拡散方式が用いられる。そして、この生成された送信無線周波信号は、送信電力増幅器で所定の送信レベルに増幅されたのち、アンテナ共用器１２を介してアンテナ１１に供給され、このアンテナ１１から図示しない基地局に向けて送信される。
【００３６】
なお、電源部４には、リチウムイオン電池等のバッテリ４１と、このバッテリ４１を商用電源出力（ＡＣ１００Ｖ）をもとに充電するための充電回路４２と、電圧生成回路（ＰＳ）４３とが設けられている。電圧生成回路４３は、例えばＤＣ／ＤＣコンバータからなり、バッテリ４１の出力電圧をもとに所定の電源電圧Ｖccを生成する。
【００３７】
また、入出力部３には、操作時及び通信時にＬＣＤ３４及びキー入力部３５を照明するための照明器３６が設けられている。この照明器３６は、例えばバックライト又はイルミネーションと呼ばれる。
【００３８】
ここで、主制御部２１には、上述したＵＳＩＭカード５１がカードスロット５に挿入された際に、このＵＳＩＭカード５１と主制御部２１とを電気的に接続するためのカードインタフェース部（カードＩ／Ｆ部）２７が接続されている。ＵＳＩＭカード５１には、電話番号に対応する情報が登録されるが、その他に例えば個人の電話帳データなどを登録しておくことも可能である。
【００３９】
上記主制御部２１は、マイクロプロセッサ、ＲＯＭ及びＲＡＭ等からなる内部メモリを備えたもので、無線チャネルの接続制御や通信リンク確立後の通信制御等、通常の制御機能に加えて、この発明に係わる制御機能として、カード登録機能２１ａ、カード情報読出し機能２１ｂ、動作制御機能２１ｃ、登録制御機能２１ｄを備える。
【００４０】
カード登録機能２１ａは、カード登録モードの設定に従って、本来の所有者が持つＵＳＩＭカード５１を識別するための特定の情報を端末内部に登録するための処理を行う。上記特定の情報とは、ＵＳＩＭカード５１に固有のユニークな情報であって、具体的にはカード識別番号を示す「ＥＦ＿ＩＣＣＩＤ」あるいは電話番号を示す「ＥＦ＿ＩＭＳＩ」である。このカード情報登録機能２１ａによって登録された特定の情報（以下、ユニーク情報と称す）は、メモリ部２６のカード情報記憶領域２６ａに記憶される。カード情報読出し機能２１ｂは、ＵＳＩＭカード５１が携帯電話端末に装着された際に、この装着されたＵＳＩＭカード５１が本来の所有者のものか否かを識別するために当該ＵＳＩＭカード５１からユニーク情報の読出し処理を行う。動作制御機能２１ｃは、カード情報読出し機能２１ｂによってＵＳＩＭカード５１から読み出されたユニーク情報と上記メモリ部２６に登録されたユニーク情報とを比較することにより当該ＵＳＩＭカード５１の正当性を判断し（本来の所有者のものか否かを判断し）、その判断結果に応じて発着信動作を含む端末動作を制御する。
【００４１】
また、登録制御機能２１ｄは、上記カード情報登録機能２１ａによるユニーク情報の登録動作を制御するものであり、例えばＵＳＩＭカード５１のユニーク情報を一度登録した後は、それ以後の登録動作を禁止するなどの制御を行う。
【００４２】
メモリ部２６には、これらの機能２１ａ〜２１ｄを備えた主制御部２１の処理に必要な各種の情報が記憶されるものであり、ここではカード登録モード時にＵＳＩＭカード５１から読み取ったユニーク情報を記憶しておくためのカード情報記憶領域２６ａの他、登録回数（ユニーク情報の書き換え回数）を記憶しておくための登録回数記憶領域２６ｂ、本端末に別のＵＳＩＭカードが装着された場合に、その旨を通知する送信先の情報（自宅の電話番号やキャリアの管理センタのＵＲＬアドレス等）を記憶しておくための送信先記憶領域２６ｃなどが設けられている。
【００４３】
以下に、このような構成の携帯電話端末の動作について、（ａ）カード登録モード時の動作、（ｂ）通常使用時の動作に分けて説明する。
【００４４】
（ａ）カード登録モード時の動作
図４は本実施形態における携帯電話端末のカード登録モード時の処理動作を示すフローチャートである。
【００４５】
まず、この携帯電話端末を紛失した場合などにおいて、他人による不正使用を防止するために、本来の所有者であるユーザの契約情報（電話番号を含む）が登録されたＵＳＩＭカード５１を識別するためのユニークな情報を本端末内部に登録しておく必要がある。上記ユニーク情報とは、上述したようにカード識別番号を示す「ＥＦ＿ＩＣＣＩＤ」あるいは電話番号を示す「ＥＦ＿ＩＭＳＩ」である。なお、このユニーク情報の登録は、販売店側で契約時に行っても良いし、ユーザが任意に行うことでもよい。
【００４６】
図４のフローチャートに示すように、ＵＳＩＭカード５１を本端末に装着した後（ステップＡ１１）、例えば図１に示すような機能キー群３５２の中の特定のキーを押下操作するか、あるいは、図示せぬメニュー画面上で「カード登録」の項目を選択するなどしてカード登録モードを設定すると（ステップＡ１２）、以下のような登録処理がこの携帯電話器に設けられた主制御部２１によって実行される。
【００４７】
すなわち、カード登録モードが設定されると、主制御部２１は、まず、ユニーク情報の登録回数（書き換え回数）Ｋをカウントし、そのカウント値をメモリ部２６の登録回数記憶領域２６ｂに格納する（ステップＡ１４）。この場合、Ｋの初期値は“０”であり、初めて登録を行うのであれば、Ｋ＝１として登録回数記憶領域２６ｂに格納されることになる。
【００４８】
ここで、主制御部２１は、現在の登録回数Ｋが予め登録規制条件として設定された回数Ｔを越えるか否かをチェックする（ステップＡ１４）。その結果、現在の登録回数Ｋが回数Ｔ以内であれば、つまり、Ｋ≦Ｔであれば（ステップＡ１４のＮｏ）、主制御部２１はそのときの登録動作を許可して、この携帯電話端末に装着されているＵＳＩＭカード５１から当該カード５１を識別するためのユニーク情報(ＥＦ＿ＩＣＣＩＤの値またはＥＦ＿ＩＭＳＩの値)を読み出す（ステップＡ１６）。そして、主制御部２１はＵＳＩＭカード５１から読み出したユニーク情報をＬＣＤ３４の画面上に表示することでユーザにその内容を確認させた後（ステップＡ１７）、ユーザからのＯＫ指示を受けて（ステップＡ１８のＹｅｓ）、当該ユニーク情報を特定のカード情報としてメモリ部２６のカード情報記憶領域２６ａに格納して保持する（ステップＡ１９）
一方、現在の登録回数Ｋが回数Ｔを越える場合、つまり、Ｋ＞Ｔであれば（ステップＡ１４のＹｅｓ）、主制御部２１はそのときの登録動作を禁止する（ステップＡ２０）。この場合、Ｔの値は任意に設定可能であり、例えば“１”に設定しておけば、契約時などにＵＳＩＭカード５１のユニーク情報を端末内に一度書き込んだ後は、再度書き込むことはできなくなる。したがって、他人が別のＵＳＩＭカードを持って来ても、現在登録されているユニーク情報を勝手に書き換えることはできない。
【００４９】
また、Ｔの値を“ｎ”（２以上の整数）に設定しておけば、ｎ回分の登録動作を行うことができ、例えば会社内で複数の社員が個別にＵＳＩＭカードを持ち、１台の携帯電話端末を共通に使用するような場合に、各社員の持つＵＳＩＭカード毎にユニーク情報を適宜書き換えることができて便利である。ただし、ｎ回分の登録が可能な場合には、許可されていない者が勝手に書き換えてしまう可能性があるため、例えばパスワードの入力や指紋照合等の何らかの個人認証方式を用いて、予めカード登録が許可された者だけを対象としてユニーク情報の登録動作を行うような仕組みを備えておくことが好ましい。
【００５０】
また、このような登録回数とは別に、ユニーク情報の登録数を任意に設定できるようにしても良い。この場合、ユニーク情報を１つだけ登録できるように設定しておけば、本来の所有者の持つＵＳＩＭカード５１に対応したユニーク情報を一度登録した後は、それ以後、他人が別のカードの情報を追加登録しようとしても、これを防止することができる。
【００５１】
また、ユニーク情報を所定数（２つ以上）登録できるように設定しておけば、例えばＵＳＩＭカード５１に複数の電話番号に対応した情報（＝ＥＦ＿ＩＭＳＩ）が登録されているような場合に、または、１つの携帯端末で複数のＵＳＩＭカードを使い分けるような場合に、これらのＥＦ＿ＩＭＳＩに対応したユニーク情報をメモリ部２６のカード情報記憶領域２６ａにまとめて登録しておくことができる。ただし、この場合も許可されていない者が自分のカードのユニーク情報を追加登録してしまう可能性があるため、例えばパスワードの入力や指紋照合等の何らかの個人認証方式を用いて、予めカード登録が許可された者だけを対象としてユニーク情報の登録動作を行うような仕組みを備えておくことが好ましい。このようなユニーク情報の登録数を規制する方法は、カード登録モード時にユニーク情報の登録数をカウントし、そのカウント値が予め設定された登録可能な数を越えた場合に、それ以後の登録動作を禁止することで実現できる。
【００５２】
（ｂ）通常使用時の動作
次に、上記（ａ）により所有者の持つＵＳＩＭカード５１のユニーク情報が携帯電話端末に登録された後の処理について説明する。
【００５３】
図５は本実施形態における携帯電話端末の通常使用時の処理動作を示すフローチャートである。
【００５４】
今、あるＵＳＩＭカードがこの携帯電話端末に装着されたとすると（ステップＢ１１）、主制御部２１は、まず、本端末に装着されたＵＳＩＭカードからユニーク情報(ＥＦ＿ＩＣＣＩＤの値またはＥＦ＿ＩＭＳＩの値)を読み出す（ステップＢ１２）。
【００５５】
次に、主制御部２１は当該ＵＳＩＭカードから読み出したユニーク情報とメモリ部２６のカード情報記憶領域２６ａに登録済みのユニーク情報とを比較して両者が一致するか否かを判断する（ステップＢ１３）。その結果、両者のユニーク情報が一致すれば（ステップＢ１４のＹｅｓ）、主制御部２１は本来の所有者の持つＵＳＩＭカード５１が装着されたものと判断して、そのＵＳＩＭカード５１内の電話番号を用いた発着信動作を含む端末動作を実行可能とする（ステップＢ１５）。
【００５６】
一方、両者のユニーク情報が一致しなかった場合には（ステップＢ１４のＹｅｓ）、主制御部２１は本来の所有者が持つＵＳＩＭカード５１以外のカードが装着されたものと判断する。そして、本端末を操作ロックし、現在装着されているＵＳＩＭカード内の電話番号を用いた発着信動作や、メモリへのアクセスなどの端末動作を禁止する（ステップＢ１６）。
【００５７】
また、端末動作を禁止する際に、主制御部２１はメモリ部２６の送信先記憶領域２６ｃに記憶された送信先情報を読み出し、その送信先情報に基づいて本端末が他人に不正に使用されている旨を通知する（ステップＢ１７）。この場合、自宅の電話番号を送信先情報として設定しておけば、他人が本端末を不正使用したときに自宅に呼び出しをかけることができる。あるいは、キャリアの管理センタのＵＲＬアドレスを送信先情報として設定しておき、その管理センタに対して本端末のシリアル番号やＵＳＩＭカードユニーク情報をメールに添付して送信するようにしても良い。
【００５８】
このように、本来の所有者であるユーザのＳＩＭカードを識別するためのユニークな情報(ＥＦ＿ＩＣＣＩＤの値またはＥＦ＿ＩＭＳＩの値)を端末内に予め登録しておき、本端末にＵＳＩＭカードが装着された際に、そのＵＳＩＭカードのユニーク情報と既に登録済みのユニーク情報とを比較して当該ＵＳＩＭカードの正当性を判断して端末動作を制御することで、本端末を紛失するなどして他人に渡った場合に、他人が別のＵＳＩＭカードを装着して不正に使用することを防ぐことができる。この場合、端末内のメモリに対するアクセスも禁止された状態となるので、ユーザの個人情報などが盗み見られることも防ぐことができる。
【００５９】
なお、上記実施形態では、ＵＳＩＭカードを想定して説明したが、例えばＳＩＭカード等の他のＩＣカードでも同様である。この場合、そのＩＣカードの種類に応じて当該ＩＣカードを識別するユニークな情報を利用して端末動作を制御することになる。
【００６０】
また、上記実施形態では携帯電話端末を例にとって説明したが、本発明はこれに限らず、例えば通信機能を有するＰＤＡ（Personal Digital Assistants）等の他の移動通信端末にも適用可能である。その他、移動通信端末の構成や通信方式方についても、この発明の要旨を逸脱しない範囲で種々変形して実施できる。
【００６１】
【発明の効果】
以上詳記したように本発明によれば、ＩＣカードの装着により、上記ＩＣカードに登録された電話番号に基づいて発着信動作を行う移動通信端末において、本端末にＩＣカードが装着された際に、そのＩＣカードから読み出される特定の情報に基づいて当該ＩＣカードの正当性を判断し、その判断結果に応じて発着信動作を含む端末動作を制御するようにしたため、本端末を紛失するなどして他人に渡ってしまった場合に、他人が別のＩＣカードを用いて本端末を不正に使用することを防ぐことができる。
【図面の簡単な説明】
【図１】本発明の移動通信端末の一実施形態である携帯電話端末の外観構成を示す平面図。
【図２】上記携帯電話端末におけるＳＩＭカード装着用のカードスロットが設けられた側面部の構成を示す図。
【図３】上記携帯電話端末の回路構成を示すブロック図。
【図４】上記携帯電話端末のカード登録モード時の処理動作を示すフローチャート。
【図５】上記携帯電話端末の通常使用時の処理動作を示すフローチャート。
【図６】ＵＳＩＭカードのファイル構成を示す概念図。
【図７】ＵＳＩＭカードのＥＦ＿ＩＭＳＩのフォーマットを示す図。
【符号の説明】
１…無線部
２…ベースバンド部
３…入出力部
４…電源部
５…カードスロット
１３…受信回路（ＲＸ）
２１…主制御部
２１ａ…カード情報登録機能
２１ｂ…カード情報読出し機能
２１ｃ…動作制御機能
２１ｄ…登録制御機能
２７…カードインタフェース部
５１…ＵＳＩＭカード
【図１】
0003637337.tif 000002
【図２】
0003637337.tif 000003
【図３】
0003637337.tif 000004
【図４】
0003637337.tif 000005
【図５】
0003637337.tif 000006
【図６】
0003637337.tif 000007
【図７】
0003637337.tif 000008